(57)【要約】【課題】回路基板上の回路の故障検出をする際に、どの検出部材が検知する信号を利用して故障検出を行うかが利用者の裁量に任されており、基準がなかった。【解決手段】回路基板２に重ね合わせられ、当該回路基板２上の回路素子または配線との間の電磁的結合または静電的結合を利用して、回路基板２上の回路の動作状態に応じた信号を検知する検出部材１１を複数含んだ薄板状検知部と、検出部材１１の各組において、別途定めた注目期間の間に当該組のそれぞれの検出部材１１が検知した信号間の相関値を検出し、当該検出された相関値の大きさに基づいて、検出部材１１の一部を選択する。【選択図】図１
2011017553.tif 000002
【特許請求の範囲】
【請求項１】
回路基板に重ね合わせられ、当該回路基板上の回路素子または配線との間の電磁的結合または静電的結合を利用して、回路基板上の回路の動作状態に応じた信号を検知する検出部材を複数含んだ薄板状検知部と、
前記検出部材の各組において、別途定めた注目期間の間に当該組のそれぞれの検出部材が検知した信号間の相関値を検出する相関値検出手段と、
前記検出された相関値の大きさに基づいて、前記複数の検出部材の一部を選択する選択手段と、
前記選択された検出部材で検知した信号を出力する出力手段と、
を含むことを特徴とする検出装置。
【請求項２】
前記検出部材の各々について、予め定めた計測期間の間に検知した信号の時間変化を記録する手段と、
前記検出部材の各々について、前記記録した信号の時間変化のうち、互いに重なり合わない複数の候補期間内の時間変化を抽出し、当該複数の候補期間内の時間変化同士の相関値を検出する手段と、
前記検出部材の各々について検出した相関値の大きさに基づいて、前記注目期間を決定する手段と、
を含む請求項１記載の検出装置。
【請求項３】
前記薄板状検知部に形成された検出部材は、各辺が、予め定めた単位長さの整数倍であるような矩形状に沿った配線を含むことを特徴とする請求項１または２記載の検出装置。
【請求項４】
回路基板に重ね合わせられ、当該回路基板上の回路素子または配線との間の電磁的結合または静電的結合を利用して、回路基板上の回路の動作状態に応じた信号を検知する検出部材を複数含んだ薄板状検知器に接続されたコンピュータを、
前記検出部材の各組において、別途定めた注目期間の間に当該組のそれぞれの検出部材が検知した信号間の相関値を検出する相関値検出手段と、
前記検出された相関値の大きさに基づいて、前記複数の検出部材の一部を選択する選択手段と、
前記選択された検出部材で検知した信号を出力する出力手段と、
として機能させることを特徴とするプログラム。
【発明の詳細な説明】
【技術分野】
【０００１】
本発明は、検出装置及びプログラムに関する。
【背景技術】
【０００２】
回路基板の平面と略平行に近接させて、所定形状・所定サイズのフレキシブル基板を配する。フレキシブル基板上には、所定サイズのセンサエリア部をマトリクス状に多数配する。各センサエリア部には、回路基板上のプリント形成された配線パターンや回路部材の配線との間での電磁的結合や静電的結合を利用して、回路部材の動作状態に応じた所定の信号を検知するセンサ部材（たとえばコイル）を配する。故障診断時には、フレキシブル基板上の多数のコイルの中から、診断対象部位に対応したセンサエリア部のコイルによって得られる検知信号を選択的に信号取出部を介して故障診断部に送る。故障診断部は、その検知信号と正常時の検知信号とを比較して故障診断を行なう、という技術が特許文献１に開示されている。
【先行技術文献】
【特許文献】
【０００３】
【特許文献１】特開２００５−０５５４２２号公報
【発明の概要】
【発明が解決しようとする課題】
【０００４】
回路基板に重ね合わせられ、当該回路基板上の回路素子または配線との間の電磁的結合または静電的結合を利用して、回路基板上の回路の動作状態に応じた信号を検知する検出部材を複数含んだ薄板状検知装置を用いて、回路基板上の回路の故障検出をする際に、どの検出部材が検知する信号を利用して故障検出を行うかが利用者の裁量に任されており、基準がなかった。
【課題を解決するための手段】
【０００５】
請求項１記載の発明は検出装置であって、回路基板に重ね合わせられ、当該回路基板上の回路素子または配線との間の電磁的結合または静電的結合を利用して、回路基板上の回路の動作状態に応じた信号を検知する検出部材を複数含んだ薄板状検知部と、前記検出部材の各組において、別途定めた注目期間の間に当該組のそれぞれの検出部材が検知した信号間の相関値を検出する相関値検出手段と、前記検出された相関値の大きさに基づいて、前記複数の検出部材の一部を選択する選択手段と、前記選択された検出部材で検知した信号を出力する出力手段と、を含むこととしたものである。
【０００６】
請求項２記載の発明は、請求項１記載の検出装置であって、前記検出部材の各々について、予め定めた計測期間の間に検知した信号の時間変化を記録する手段と、前記検出部材の各々について、前記記録した信号の時間変化のうち、互いに重なり合わない複数の候補期間内の時間変化を抽出し、当該複数の候補期間内の時間変化同士の相関値を検出する手段と、前記検出部材の各々について検出した相関値の大きさに基づいて、前記注目期間を決定する手段と、を含むこととしたものである。
【０００７】
請求項３記載の発明は、請求項１または２記載の検出装置であって、前記薄板状検知部に形成された検出部材は、各辺が、予め定めた単位長さの整数倍であるような矩形状に沿った配線を含むこととしたものである。
【０００８】
請求項４記載の発明は、プログラムであって、回路基板に重ね合わせられ、当該回路基板上の回路素子または配線との間の電磁的結合または静電的結合を利用して、回路基板上の回路の動作状態に応じた信号を検知する検出部材を複数含んだ薄板状検知器に接続されたコンピュータを、前記検出部材の各組において、別途定めた注目期間の間に当該組のそれぞれの検出部材が検知した信号間の相関値を検出する相関値検出手段と、前記検出された相関値の大きさに基づいて、前記複数の検出部材の一部を選択する選択手段と、前記選択された検出部材で検知した信号を表す信号を出力する出力手段と、として機能させることとしたものである。
【発明の効果】
【０００９】
請求項１，４記載の発明によると、利用者の裁量ではなく、検出部材で実際に検知した信号を用いて故障検出を行うことができる。
【００１０】
請求項２記載の発明によると、検出部材の検出する信号のうち、注目するべき期間の信号を取り出し、当該信号を用いて故障検出を行うことができる。
【００１１】
請求項３記載の発明によると、検出部材のサイズが規定される。
【図面の簡単な説明】
【００１２】
【図１】本発明の実施の形態に係る検出装置の構成例と、その配置例とを表す概要図である。
【図２】本発明の実施の形態に係る検出装置の検出器の例を表す概要図である。
【図３】本発明の実施の形態に係る検出装置の構成例を表す説明図である。
【図４】本発明の実施の形態に係る検出装置における処理の一例を表すフローチャート図である。
【図５】本発明の実施の形態に係る検出装置が取得する信号の時間変化の例を表す説明図である。
【図６】本発明の実施の形態に係る検出装置が生成する相関マトリクスの例を表す説明図である。
【図７】本発明の実施の形態に係る検出装置が取得するコイルごとの特徴量の保持例を表す説明図である。
【図８】本発明の実施の形態に係る検出装置におけるもう一つの処理の例を表すフローチャート図である。
【図９】本発明の実施の形態に係る検出装置が生成するコイル間の相関マトリクスの例を表す説明図である。
【図１０】本発明の実施の形態に係る検出装置の検出器の別の例を表す説明図である。
【図１１】本発明の実施の形態に係る検出装置の別の例の検出器の構成例を表す説明図である。
【図１２】本発明の実施の形態に係る検出装置の検出器のまた別の例を表す説明図である。
【図１３】本発明の実施の形態に係る検出装置の検出器のさらに別の例を表す説明図である。
【図１４】本発明の実施の形態に係る検出装置の検出器のさらに別の例に係る配線例を表す説明図である。
【発明を実施するための形態】
【００１３】
本発明の実施の形態について図面を参照しながら説明する。本実施の形態に係る検出装置１は、種々の回路基板上に形成される回路の故障検出に用いられるものである。この検出装置１は、図１に示すように故障検出の対象となる回路基板２に重ね合わせられる薄板状の検知器１０と、この検知器１０に接続される信号処理器２０とを含んで構成される。信号処理器２０は、制御部２１と、記憶部２２と、インタフェース部２３とを含む。
【００１４】
この検知器１０は、図２に例示するように、回路基板２上の回路素子や配線との間の電磁的結合または静電的結合を利用して、回路基板２上の回路の動作状態に応じた信号を検知する検出部材であるコイル１１を複数含む。本実施の形態のある例では、このコイル１１はいずれも各辺長さａ（この一つのコイル１１が囲むａ×ａの範囲は、例えば回路基板２に形成される回路の主要部であるＩＣ（Integrated Circuit）等が占める面積よりも小さいものとしておいてもよい）の矩形状に沿った配線部分を含み、ｎ×ｍ個の格子状に配置される。また各コイル１１は、第１選択回路１２と、第２選択回路１３とに接続される。さらに、これら第１、第２選択回路１２，１３は、いずれも選択制御回路１４に接続される。なお、図２の例では第１選択回路１２、第２選択回路１３、及び選択制御回路１４が、薄板状の検知器１０に配されているが、本実施の形態はこれに限られず、例えば選択制御回路１４は、検知器１０とは別体の基板に設けられて、検知器１０上の第１選択回路１２と第２選択回路１３とに接続されてもよい。また、第１選択回路１２、第２選択回路１３、及び選択制御回路１４が、検知器１０とは別体の基板に設けられて、検知器１０のコイル１１に接続されてもよい。後に説明する他の例でも同様である。
【００１５】
これらのコイル１１は、本実施の形態の一例においては、フレキシブル（可撓性）基板上に形成されることとするが、必ずしも可撓性を有する基板である必要はない。図３は、検知器１０の配線例を表す説明図である。本実施の形態の検知器１０は、フレキシブル基板の表裏にコイル１１と、各コイル１１から配線とを含む回路を形成したものであってもよい。図３（ａ）は、検知器１０の第１面側に配される回路の例を表す説明図であり、図３（ｂ）は、検知器１０の第２面側に配される回路の例を表す説明図である。この例では、検知器１０の第１面側にコイル１１となる配線部分と、行方向に配列された各コイル１１の一端を互いに連結する配線（Ｒ）とを含む。また、この図３の例において検知器１０の第２面側には、第１面側に形成されている、列方向に並ぶ各コイル１１の他端に基板内部を通じて連結された端子（Ｔ）と、当該端子を互いに連結する配線（Ｃ）とを含む。つまり、この配線（Ｃ）は、列方向に並ぶ各コイルの他端側を互いに連結したものとなる。
【００１６】
さらにこのとき、検知器１０の回路基板２に対する側の面には絶縁性の層を被覆してあってもよい。また、絶縁性の層を被覆せず、回路基板２に対する側の面に、コイル１１などの検出器１０の回路が露出しているときは、検出器１０を回路基板２に重ね合わせた際、回路基板２側の回路と検出器１０の回路とが接触しないよう（接触すると短絡などを起こすことがある）、回路基板２の回路に対して間隔を開ける。このようにするためには、回路基板２に対して検出器１０をスペーサなどを介して螺旋止めするなど広く知られた方法を採用できる。
【００１７】
第１選択回路１２は、コイル１１の横方向の配列数であるｎ個のスイッチＳＷを含む。これらのｎ個のスイッチＳＷの一方の端子は、共通の導電路（第１共通導電路）に接続され、この第１共通導電路を介して選択制御回路１４に接続される。またｉ番目のスイッチＳＷiの他方の端子は、ｉ番目の列に配列されたｍ個のコイル１１の一方の端子を連結する配線Ｃiに接続される。
【００１８】
第２選択回路１３は、コイル１１の縦方向の配列数であるｍ個のスイッチＳＷを含む。これらのｍ個のスイッチＳＷの一方の端子は、共通の導電路（第２共通導電路）に接続され、この第２共通導電路を介して選択制御回路１４に接続される。また、ｊ番目のスイッチＳＷjの他方の端子は、ｊ番目の行に配列されたｎ個のコイル１１の他方の端子を連結する配線Ｒjに接続される。
【００１９】
また選択制御回路１４は、外部から入力される検出部材選択の指示に従い、第１選択回路１２と第２選択回路１３との各スイッチＳＷの開閉を制御する。そしてこの選択制御回路１４は、第１選択回路１２の各スイッチＳＷに接続される第１共通導電路と、第２選択回路１３の各スイッチＳＷに接続される第２共通導電路との間の電位差を表す電圧信号を出力する。
【００２０】
具体的に選択制御回路１４は、ｊ列ｉ行に配されたコイル１１に発生した誘導起電力を電圧信号として取り出して出力する際には、第１選択回路１２のｉ番目のスイッチＳＷiをオンとし、第１選択回路１２の他のスイッチＳＷをオフとする。また第２選択回路１３のｊ番目のスイッチＳＷjをオンとし、第２選択回路１３の他のスイッチＳＷをオフとする。これにより第１共通導電路から第１選択回路１２のｉ番目のスイッチＳＷi、ｊ列ｉ行に配されたコイル１１、第２選択回路１３のｊ番目のスイッチＳＷj、第２共通導電路までの回路が完成し、ｊ列ｉ行に配されたコイル１１で発生した誘導起電力が、第１選択回路１２の各スイッチＳＷに接続される第１共通導電路と、第２選択回路１３の各スイッチＳＷに接続される第２共通導電路との間の電位差として検出される。選択制御回路は、この電位差を表す電圧信号を出力する。
【００２１】
信号処理器２０の制御部２１は、ＣＰＵ（Central Processing Unit）等のプログラム制御デバイスであり、記憶部２２に格納されたプログラムに従って動作する。この制御部２１は、検知器１０が備える検出部材（上述の例ではコイル１１）の各々において、別途定めた注目期間の間に生じた誘導起電力間の相関値を検出する。そして制御部２１は、当該検出された相関値の大きさに基づいて、コイル１１の一部を選択する。制御部２１は、そうして選択されたコイルで生じた誘導起電力を表す信号を選択的に出力する。この選択的に出力された信号は、例えば回路基板２上の回路の故障検知などに用いられる。この制御部２１の詳しい動作の内容は後に述べる。
【００２２】
記憶部２２は、メモリ回路などであり、制御部２１によって実行されるプログラムを格納している。このプログラムは、ＤＶＤ−ＲＯＭ（Digital Versatile Disc Read Only Memory）等のコンピュータ可読な記録媒体に格納されて提供され、この記憶部２２に格納されたものであってもよい。さらにこの記憶部２２は、制御部２１のワークメモリとしても動作する。
【００２３】
インタフェース部２３は、検出器１０に接続され、検出器１０に対して検出部材選択の指示を出力する。また、このインタフェース部２３は、検出器１０が出力する電圧信号を受け入れ、これをＡ／Ｄ（Analog/Digital）変換して、電圧信号を表す情報として制御部２１に出力する。
【００２４】
回路基板２には、図示しない配線パターンがプリント形成され、回路部材が搭載されている。この回路部材としては、抵抗素子、誘導素子、あるいは容量素子などの受動部品や、トランジスタやＩＣ（Integrated Circuit）などの能動部品を含んでもよい。
【００２５】
次に、信号処理器２０の制御部２１の動作について説明する。本実施の形態の制御部２１は、故障検出に用いるコイル１１を選択する処理を行うので、まず、このコイル１１を選択する処理（コイル選択処理）について説明する。
【００２６】
この処理では、回路基板２上の回路を動作させている状態で、信号処理器２０の制御部２１に次の図４に例示する処理を行わせる。
【００２７】
すなわち制御部２１は、まず、検出器１０上の各コイル１１を予め定めた順番に、注目コイルとして選択する（Ｓ１）。つまり選択制御回路１４に対して、コイル１１を一つずつ注目コイルとして選択させる。そして選択した注目コイルについて予め定めた測定期間だけ、当該コイル１１で生じた誘導起電力の時間変化を表す情報（図５）を取得する（Ｓ２）。なお、測定期間は、例えば回路基板２上の回路がクロック信号により動作している場合は、当該クロック信号の一周期に予め定めた数を乗じた時間の期間としてもよい。
【００２８】
制御部２１は、図５に示したように、時間変化の情報を取得した測定期間のうち、互いに重なり合わない同じ長さの複数の期間（第１期間Ｔ1，第２期間Ｔ2，…第Ｎ期間ＴN）の部分を取り出す。そして各期間内での誘導起電力の大きさｖ（ｔ）の相関値を演算する（Ｓ３）。つまり、第ｉ期間Ｔiでの誘導起電力の時間変化をｖi（ｔ）、第ｊ期間Ｔjでの誘導起電力の時間変化をｖj（ｔ）と書くと、その間の相関値Ｒijを例えば、
【数１】
2011017553.tif 000003
として演算すればよい。ここでＳi2は、Ｖi（ｔ）の平均値をＶａｖiとして、
【数２】
2011017553.tif 000004
であり、Ｓj2は、Ｖj（ｔ）の平均値をＶａｖjとして、
【数３】
2011017553.tif 000005
であり、Ｓijは、
【数４】
2011017553.tif 000006
である。ここで、τ＝ｔ＋（Ｔjs−Ｔis）であり、Ｔis、Ｔjsは、それぞれ第ｉ期間Ｔiと第ｊ期間Ｔjとの開始時点（つまり、（Ｔjs−Ｔis）は両期間の間隔に相当する）を表し、積分記号の添字のＴは、期間Ｔに亘って積分を行うことを意味する。なお、積分は実際には単位時間ΔＴ（ただしΔＴは、期間の長さより小さい）ごとの値を加算することに置き換えて実現してよい。また、ここでは相関値を積分により求める例としたが、複数Ｌ回だけ繰り返し測定期間内の時間変化を記録し、各測定回での各期間内の誘導起電力の統計値（平均、標準偏差、自乗和など）を各測定回での各期間の特徴値とし、これらの特徴値から、各期間の相関を求めてもよい。この場合、各期間ｉについて、すべての測定回での特徴値の平均Ｖａｖiを算出し、Ｓiを（Ｖi,k−Ｖａｖi）のｋに関する自乗和（ｋは、各測定回を表し、ｋ＝１，２，…Ｌ）とし、Ｓijを、（Ｖi,k−Ｖａｖi）×（Ｖj,k−Ｖａｖj）のｋに関する和として、Ｒij＝Ｓij／√（Ｓi・Ｓj）としてもよい。
【００２９】
この相関値は互いに異なる任意の２つの期間に対応して演算でき、全体として図６に例示するようなＮ×Ｎの相関行列として得られる。そして制御部２１は、得られた相関行列に含まれる相関値のうちで、予め定めたしきい値より小さい相関値となっている期間の組を選択する（Ｓ４）。
【００３０】
制御部２１は、ここで選択された組に含まれる各期間における誘導起電力の大きさｖ（ｔ）を取り出し、それらに関する統計量（平均値や標準偏差など）を、注目コイルの特徴量として算出する（Ｓ５）。この特徴量は、例えば、測定された誘導起電力の大きさからその平均値を引き、その後標準偏差で除したものとしてもよい。制御部２１は、この特徴量を、注目コイルを特定する情報（コイル１１ごとに固有の情報）に関連づけて記憶部２２に格納しておく。
【００３１】
制御部２１は、注目コイルとして選択されていないコイルがあるか否かを判断し（Ｓ６）、選択されていないコイル１１がまだあれば（Yesならば）、処理Ｓ１に戻って当該選択されていないコイル１１のいずれかを選択して処理を繰り返す。また、処理Ｓ６において注目コイルとして選択されていないコイル１１がなければ（Noならば）、処理を終了する。
【００３２】
制御部２１は、この図４に示した処理を複数回繰り返して、コイル１１ごとに、複数Ｐ個の特徴量を取得する。この結果、記憶部２２には例えば図７に示すように、各コイル１１を特定する情報に関連づけて、１，２，…Ｐ番目までの特徴量が保持されることとなる。
【００３３】
制御部２１は、さらにこの後、コイル間の相関を演算する処理を行う。具体的に制御部２１は、図８に示すように、可能な２つのコイル１１の組（それぞれをコイルａ，コイルｂとする）について、相関値を算出する（Ｓ１１）。この相関値ｒabは、記憶部２２に格納されている各コイル１１のＰ個の特徴量を用い、
【数５】
2011017553.tif 000007
として演算すればよい。ここでＳa2は、コイルａの特徴量の平均値をＡとして、
【数６】
2011017553.tif 000008
であり、Ｓb2は、コイルｂの特徴量の平均値をＢとして、
【数７】
2011017553.tif 000009
であり、Ｓabは、
【数８】
2011017553.tif 000010
である。この相関値は互いに異なるコイル１１に対応して演算でき、全体として図９に例示するようなＭ×Ｍの相関行列として得られる（なお、Ｍはコイル１１の総数）。
【００３４】
制御部２１は、コイル１１の組のうち、予め定めた検出部材間相関しきい値よりも小さい相関値となっているコイル１１の組を選抜する（Ｓ１２）。制御部２１は、以上の処理により選抜された組に含まれるコイル１１を、故障検出に用いるコイル１１として選択する。
【００３５】
なお、ここまでの処理を行うときには、回路基板２上の回路は、正常動作していることが確認されているものとする。
【００３６】
さらに制御部２１は、故障検出処理として、回路基板２上の回路が稼働しているときに入力される、選択されたコイル１１での誘導起電力の大きさと、予め測定しておいた、回路が正常稼働しているときのコイル１１の誘導起電力の期待値とを比較する。そしてこれらの差（または選択されたコイル１１から入力される誘導起電力の大きさを表す電圧信号の期待値からの偏差等でもよい）が予め定めた故障基準しきい値を超えるときに、故障を検出したものとして、その旨を報知する処理を行う。
【００３７】
本実施の形態によると、回路基板２に対向して配置され、回路基板２上の回路素子や配線との間の電磁的結合または静電的結合を利用して、回路基板２上の回路の動作状態に応じた信号を検知する検出部材を複数備えた検知器１０を用いた故障検出が行われる。
【００３８】
この際検出装置１は、検知器１０上の検出部材のうち、一部を選択し、当該選択した検出部材が対向する回路基板２上の回路素子や配線との間の電磁的結合または静電的結合の度合いに応じて出力する電気的信号（検知信号）を用いて故障検出を行うのであるが、この検出部材の一部を選択する処理が本実施の形態では次のように行われる。
【００３９】
すなわち、正常動作していることが既知である回路基板２に対して検出装置１の検知器１０を対向して配し、検出装置１は、当該検知器１０に含まれる検出部材ごとに、予め定めた測定期間から取り出される、互いに重なり合わない複数の期間での検知信号の時間変化同士を比較し、その相関が予め定めたしきい値より低い期間の組を見いだす。
【００４０】
次に検出装置１は、当該見いだした組に含まれる各期間の検知信号からその平均値などの統計量を算出し、当該算出した統計量を検出部材の特徴量としておく。この測定を複数回行い、各検出部材の特徴量を複数回取得する
【００４１】
そして本実施の形態の検出装置１は、当該検出部材ごとに複数個取得した特徴量を用い、検出部材間の特徴量の相関値を算出する。そして当該算出した相関値が、予め定めた検出部材間相関しきい値より低い検出部材の組を見いだす。検出装置１は、ここで見いだした組に含まれる検出部材を、故障検出に用いる検出部材として選択する。
【００４２】
［変形例］
また、ここまでの説明では、検出部材としてのコイル１１は、いずれも一辺が長さａである矩形状に沿った配線部分を備えているものとして説明したが、これに限られない。すなわち図１０に例示するように、各辺が、予め定めた単位長さａの整数倍であるような矩形状に沿った配線部分を含むコイル１１（Ｘ）を備えてもよい。また、互いに隣接する辺の長さは等しくなくてもよい（Ｙ）。
【００４３】
このように、すべての辺が単位長さａであるようなコイル１１に比して、比較的大きい面積を有するコイル１１（以下、大径コイル１１′と呼ぶ）を用いる場合、検出器１０を多層構造の基板とし、当該大径コイル１１′を、他のコイル１１とは異なる層（別層）に形成するとともに、当該大径コイル１１′と第１選択回路１２と、または大径コイル１１′と第２選択回路１３との少なくとも一方は、当該別層に配してもよい。一例として図１１の例では、第１層（図１１（ａ））に図３（ａ）に示したものと同じ格子状に配したコイル１１と、それらのうち行方向に配列されたコイル１１の行ごとに、それらの一端側にそれぞれ接続される第２選択回路１３への複数の配線Ｒとを含む。また第２層（図１１（ｂ））には図３（ｂ）に示したものと同様に、第１選択回路１２への複数の配線Ｃを含む回路が形成されている。この配線Ｃの各々は、第１層のコイル１１のうち、列方向に配されているコイル１１の他端に、基板内部のスルーホールを通じて電気的に接続されている。
【００４４】
さらに検知器１０の第３層（上記別層に相当する；図１１（ｃ））には、大径コイル１１′と、大径コイル１１′の一端側と第２選択回路１３とを接続する配線Ｒとが含まれる。また、この第３層における大径コイル１１′の他端側は、第２層の配線Ｃのいずれか（対応する列にあるもの）に対して、基板内部のスルーホールを通じて電気的に接続される。
【００４５】
この場合、第１選択回路１２と第２選択回路１３との少なくとも一方には、大径コイル１１′を選択するための配線に対応するスイッチＳＷが設けられ、当該スイッチＳＷの他端は、各選択回路に対応する共通の伝導路に接続されることとなる。そして選択制御回路１４は、コイル１１と同様に、スイッチＳＷを制御することで、大径コイル１１′を選択可能となる。そして、大径コイル１１′を選択したときには、選択制御回路１４は、当該選択された大径コイル１１′において生じた誘導起電力を出力する。
【００４６】
こうして大径コイル１１′を設けた場合であっても、本実施の形態の信号処理器２０の制御部２１は、大径コイル１１′と他のコイル１１とを区別することなく、図４、図８に示した各処理を実行する。そして制御部２１は、図８の処理において、選抜されたコイル１１の組のうちに、大径コイル１１′が含まれていれば、当該大径コイル１１′も、故障検出のために利用するコイルとして選択する。
【００４７】
［検出器１０に穴を開ける例］
さらに、放熱フィンを搭載したＩＣ等、比較的背の高い回路部品（以下、突出部品と呼ぶ）があるために、検出器１０が回路基板２に対して所望の距離まで近接させられない場合、当該突出部品に対応する検出器１０の領域に穴（すべての層を貫通する穴）を開けてもよい（図１２）。この場合、図１２に示したように、当該穴を囲む大径コイル１１′を配してもよい。
【００４８】
また、このように穴を開けた場合、選択回路１２，１３との配線が穴によって切断されることとなる。そこで本実施の形態では、第１選択回路１２と同様にコイル１１の横方向の配列数であるｎ個のスイッチＳＷを含み、当該ｎ個のスイッチＳＷの一方の端子が、第１選択回路１２と同じ共通の導電路（第１共通導電路）に接続されて、この第１共通導電路を介して選択制御回路１４に接続される、第３選択回路１２′を備えてもよい。この場合、第３選択回路１２′のｉ番目のスイッチＳＷiの他方の端子は、ｉ番目の列に配列されたｍ個のコイル１１の一方の端子を連結する配線Ｃiに接続される。また第１選択回路１２がｉ番目の列に並ぶｍ個のコイル１１のうち、第１番目のコイル１１に近い側から配線Ｃiに接続されているものとすると、第３選択回路１２′はｉ番目の列に並ぶｍ個のコイル１１のうち、第ｍ番目のコイル１１に近い側から配線Ｃiに接続される。つまり、第１選択回路１２と第３選択回路１２′とは、検出器１０の対向する辺側にそれぞれ配される。
【００４９】
さらに本実施の形態では、第２選択回路１３と同様にコイル１１の縦方向の配列数であるｍ個のスイッチＳＷを含み、当該ｍ個のスイッチＳＷの一方の端子が、第２選択回路１３と同じ共通の導電路（第２共通導電路）に接続されて、この第２共通導電路を介して選択制御回路１４に接続される、第４選択回路１３′を備えてもよい。
【００５０】
この場合、第４選択回路１３′のｊ番目のスイッチＳＷjの他方の端子は、ｊ番目の行に配列されたｎ個のコイル１１の他方の端子を連結する配線Ｒjに接続される。また第３選択回路１３がｊ番目の行に並ぶｎ個のコイル１１のうち、第１番目のコイル１１に近い側から配線Ｒjに接続されているものとすると、第４選択回路１３′はｊ番目の列に並ぶｎ個のコイル１１のうち、第ｎ番目のコイル１１に近い側から配線Ｒjに接続される。つまり、第２選択回路１３と第４選択回路１３′とは、検出器１０の対向する辺側にそれぞれ配される。
【００５１】
さらにこの場合、選択制御回路１４は、互いに対応する選択回路（第１選択回路１２と第３選択回路１２′、及び第２選択回路１３と第４選択回路１３′）において、それぞれ対応するスイッチＳＷを同期させてオン、またはオフとする。つまり、第１選択回路１２にてｉ番目のスイッチＳＷiがオンであり、他のスイッチＳＷがオフであれば、第３選択回路１２′にても、ｉ番目のスイッチＳＷiがオンであり、他のスイッチＳＷがオフであるように制御する。また第２選択回路１３にてｊ番目のスイッチＳＷjがオンであり、他のスイッチＳＷがオフであれば、第４選択回路１３′にても、ｊ番目のスイッチＳＷjがオンであり、他のスイッチＳＷがオフであるように制御する。
【００５２】
このようにすると、例えば図１２におけるコイル１１ｘの誘導起電力を表す電圧信号が、第１選択回路１２によって伝達されない場合であっても、対応する第３選択回路１２′によって伝達されることとなる。
【００５３】
［ジャンパ線］
さらに、上述のように第３選択回路１２′や、第４選択回路１３′を設けたとしても、図１３に例示するように、複数箇所に穴を配した結果、行方向または列方向に穴の範囲が重なり合い、穴と穴との間に配されていたコイル１１Yを選択できない場合が生じ得る。
【００５４】
この場合は、検出器１０の第３層またはさらに別の層（第４層）に、当該コイル１１Yでの誘導起電力を表す電圧信号を伝達するジャンパ線Ｊをさらに設けてもよい（図１４）。図１４は、第３層に大径コイル１１′に対応する配線とともにジャンパ線Ｊを配した例を示したものである。
【符号の説明】
【００５５】
１  検出装置、２  回路基板、１０  検出器、１１  コイル、１２，１２′，１３，１３′  選択回路、１４  選択制御回路、２０  信号処理器、２１  制御部、２２  記憶部、２３  インタフェース部。
【図１】
2011017553.tif 000011
【図２】
2011017553.tif 000012
【図３】
2011017553.tif 000013
【図４】
2011017553.tif 000014
【図５】
2011017553.tif 000015
【図６】
2011017553.tif 000016
【図７】
2011017553.tif 000017
【図８】
2011017553.tif 000018
【図９】
2011017553.tif 000019
【図１０】
2011017553.tif 000020
【図１１】
2011017553.tif 000021
【図１２】
2011017553.tif 000022
【図１３】
2011017553.tif 000023
【図１４】
2011017553.tif 000024